(57)【要約】【課題】第１交換部品と相違する第２交換部品が装着されている場合に、シートに形成される画像の品質に関して誤解の生じる情報がユーザーに提示されることを抑制できる画像形成装置を提供する。【解決手段】制御部５１は、シートＰに画像が形成される前に、画像のサムネイル画像６９を表示するように、表示部４５を制御する。交換部品４１が第１交換部品ＴＣ１である場合、制御部５１は、画像のプレビュー画像７５を表示するように、トリガーに応じて表示部４５を制御する。画像に対するプレビュー画像７５の縮小率は、画像に対するサムネイル画像６９の縮小率よりも小さい。交換部品４１が第１交換部品ＴＣ１と相違する第２交換部品ＴＣ２である場合、制御部５１は、プレビュー画像７５の表示を規制する。【選択図】図２
2019086567.tif 000002
【特許請求の範囲】
【請求項１】
交換部品が装着され、前記交換部品に収容された消耗品を消費して、画像データに基づく画像をシートに形成する画像形成装置であって、
表示部と、
前記シートに前記画像が形成される前に、前記画像のサムネイル画像を表示するように、前記表示部を制御する制御部と
を備え、
前記交換部品が第１交換部品である場合、前記制御部は、前記画像のプレビュー画像を表示するように、トリガーに応じて前記表示部を制御し、
前記画像に対する前記プレビュー画像の縮小率は、前記画像に対する前記サムネイル画像の縮小率よりも小さく、
前記交換部品が前記第１交換部品と相違する第２交換部品である場合、前記制御部は、前記プレビュー画像の表示を規制する、画像形成装置。
【請求項２】
前記画像形成装置には、互いに異なる色の前記消耗品を収容する複数の前記交換部品が装着され、
前記複数の交換部品に前記第２交換部品が含まれる場合、前記制御部は、画像形成モードと交換部品情報と消耗品使用情報とのうちの少なくとも１つに基づいて、前記プレビュー画像に対する表示の規制の程度を決定し、
前記画像形成モードは、シートに画像をカラーで形成するカラーモードと、シートに画像をモノクロで形成するモノクロモードとを含み、
前記交換部品情報は、第１情報及び第２情報のうちの少なくとも１つを含み、
前記第１情報は、前記複数の交換部品のうちの前記第２交換部品の割合を示し、
前記第２情報は、前記画像を前記シートに形成するときの前記第２交換部品に収容された前記消耗品の使用量の計算値を示し、
前記消耗品使用情報は、前記画像を前記シートに形成するときに前記第２交換部品に収容された前記消耗品を使用するか否かを示す、請求項１に記載の画像形成装置。
【請求項３】
前記シートに前記画像が形成される前に、複数の前記画像に対応する複数の前記サムネイル画像を前記表示部の第１所定領域に表示するように、前記制御部は前記表示部を制御し、
前記複数の交換部品に前記第２交換部品が含まれる場合、前記制御部は、前記画像形成モードと前記交換部品情報と前記消耗品使用情報とのうちの少なくとも１つに基づいて、前記サムネイル画像ごとに、前記サムネイル画像に対応する前記プレビュー画像に対する表示の規制の程度を決定する、請求項２に記載の画像形成装置。
【請求項４】
前記シートに前記画像が形成される前に、複数の前記画像のうち１つの画像に対応する前記サムネイル画像を表示するように、前記制御部は前記表示部を制御し、
前記複数の交換部品に前記第２交換部品が含まれる場合、前記制御部は、前記画像形成モードと前記交換部品情報と前記消耗品使用情報とのうちの少なくとも１つに基づいて、前記複数の画像から前記１つの画像を選択する、請求項２に記載の画像形成装置。
【請求項５】
像担持体と、
シートに形成される画像の濃度を評価するための評価画像を記憶する記憶部と、
前記像担持体に形成された前記評価画像の濃度を検出する濃度検出部と
をさらに備え、
前記交換部品が前記第２交換部品である場合、前記制御部は、前記評価画像の濃度の第１検出値と第２検出値との差分の大きさに応じて前記プレビュー画像の表示を規制し、
前記第１検出値は、前記交換部品が前記第１交換部品であるときの前記評価画像の濃度の検出値であり、
前記第２検出値は、前記交換部品が前記第２交換部品であるときの前記評価画像の濃度の検出値を示す、請求項１から請求項４のいずれか１項に記載の画像形成装置。
【請求項６】
像担持体と、
シートに形成される画像の濃度を評価するための評価画像を記憶する記憶部と、
前記像担持体に形成された前記評価画像の濃度を検出する濃度検出部と
をさらに備え、
前記交換部品が前記第２交換部品である場合、前記制御部は、第１評価画像と第２評価画像とを表示するように、前記表示部を制御し、
前記表示部の表示する前記第１評価画像は、前記評価画像の濃度の第１検出値に相当する濃度値を示し、
前記表示部の表示する前記第２評価画像は、前記評価画像の濃度の第２検出値に相当する濃度値を示し、
前記第１検出値は、前記交換部品が前記第１交換部品であるときの前記評価画像の濃度の検出値であり、
前記第２検出値は、前記交換部品が前記第２交換部品であるときの前記評価画像の濃度の検出値を示す、請求項１から請求項５のいずれか１項に記載の画像形成装置。
【請求項７】
像担持体と、
シートに形成される画像の濃度を評価するための複数の評価画像を記憶する記憶部と、
前記像担持体に形成された前記複数の評価画像の各々の濃度を検出する濃度検出部と
をさらに備え、
前記交換部品が前記第２交換部品である場合、前記制御部は、第１グラフと第２グラフとを表示するように、前記表示部を制御し、
前記第１グラフは、前記記憶部に記憶されている前記複数の評価画像の示す濃度値と前記複数の評価画像の濃度の第１検出値との関係を示し、
前記第２グラフは、前記複数の評価画像の示す前記濃度値と前記複数の評価画像の濃度の第２検出値との関係を示し、
前記第１検出値は、前記交換部品が前記第１交換部品であるときの前記評価画像の濃度の検出値であり、
前記第２検出値は、前記交換部品が前記第２交換部品であるときの前記評価画像の濃度の検出値を示す、請求項１から請求項６のいずれか１項に記載の画像形成装置。
【請求項８】
前記プレビュー画像の表示を規制することは、前記プレビュー画像の表示を禁止することを示す、請求項１から請求項７のいずれか１項に記載の画像形成装置。
【請求項９】
前記交換部品が前記第２交換部品である場合、前記差分の大きさに応じた拡大率で前記プレビュー画像を表示するように、及び／又は、前記差分の大きさに応じた濃度値を示す前記プレビュー画像を表示するように、前記制御部は、前記トリガーに応じて前記表示部を制御し、
前記拡大率は、前記サムネイル画像に対する前記プレビュー画像の拡大率を示す、請求項５に記載の画像形成装置。
【請求項１０】
前記交換部品が前記第２交換部品である場合、複数の前記画像に対応する複数の前記プレビュー画像を前記表示部の第２所定領域に表示するように、前記制御部は、前記トリガーに応じて前記表示部を制御し、
前記制御部は、前記第２所定領域に含める前記プレビュー画像の個数を前記差分に応じて決定する、請求項５に記載の画像形成装置。
【請求項１１】
画像をシートに形成する画像形成装置であって、
表示部と、
前記シートに前記画像が形成される前に、前記画像のサムネイル画像を表示するように、前記表示部を制御する制御部と、
像担持体と、
前記画像の濃度を評価するための評価画像を記憶する記憶部と、
前記像担持体に形成された前記評価画像の濃度を検出する濃度検出部と
を備え、
前記制御部は、前記評価画像の濃度の第１検出値と第２検出値との差分の大きさに応じて前記画像のプレビュー画像の表示を規制し、
前記プレビュー画像は、前記サムネイル画像に代えて、トリガーに応じて表示され、
前記画像に対する前記プレビュー画像の縮小率は、前記画像に対する前記サムネイル画像の縮小率よりも小さく、
前記第１検出値と前記第２検出値とは、異なる時期に前記像担持体に形成された前記評価画像の検出値を示す、画像形成装置。
【発明の詳細な説明】
【技術分野】
【０００１】
本発明は、画像形成装置に関する。
【背景技術】
【０００２】
特許文献１に記載された画像形成装置は、ユーザーインターフェイス装置と、トナーカートリッジとを有する。ユーザーインターフェイス装置は、純正品のトナーカートリッジ（第１交換部品）以外のトナーカートリッジ（第２交換部品）が装着された場合、通知メッセージを表示する。通知メッセージは、純正品に対応した動作モードとは異なる動作モードへ移行することをユーザーに通知する。さらに、ユーザーインターフェイス装置は、確認メッセージを表示する。確認メッセージは、純正品に対応した動作モードとは異なる動作モードでは、画像品質に関して純正品に対応した動作モードと同等の保障ができないことをユーザーに確認させる。その結果、ユーザーの意思により、純正品以外のトナーカートリッジを使用することが可能である。
【先行技術文献】
【特許文献】
【０００３】
【特許文献１】特開２００５−３２６７３１号公報
【発明の概要】
【発明が解決しようとする課題】
【０００４】
しかしながら、特許文献１に記載された画像形成装置は、純正品以外のトナーカートリッジのトナーによってシートに形成される画像の品質とプレビュー画像とを考慮した処理を実行していない。また、純正品以外のトナーカートリッジを装着した場合の画像品質を保障していない。さらに、一般的には、プレビュー画像は、純正品のトナーカートリッジが装着されていることを想定して作成される。従って、純正品以外のトナーカートリッジが装着されている場合に、シートに形成される画像の品質に関して誤解の生じる情報が、プレビュー画像によってユーザーに提示される可能性がある。
【０００５】
本発明は上記課題に鑑みてなされたものであり、その目的は、第１交換部品と相違する第２交換部品が装着されている場合に、シートに形成される画像の品質に関して誤解の生じる情報がユーザーに提示されることを抑制できる画像形成装置を提供することにある。
【０００６】
本発明の他の目的は、シートに形成される画像の品質に関して誤解の生じる情報がユーザーに提示されることを抑制できる画像形成装置を提供することにある。
【課題を解決するための手段】
【０００７】
本発明の一局面によれば、画像形成装置は、交換部品が装着され、前記交換部品に収容された消耗品を消費して、画像データに基づく画像をシートに形成する。画像形成装置は、表示部と、制御部とを備える。制御部は、前記シートに前記画像が形成される前に、前記画像のサムネイル画像を表示するように、前記表示部を制御する。前記交換部品が第１交換部品である場合、前記制御部は、前記画像のプレビュー画像を表示するように、トリガーに応じて前記表示部を制御する。前記画像に対する前記プレビュー画像の縮小率は、前記画像に対する前記サムネイル画像の縮小率よりも小さい。前記交換部品が前記第１交換部品と相違する第２交換部品である場合、前記制御部は、前記プレビュー画像の表示を規制する。
【０００８】
本発明の他の局面によれば、画像形成装置は、画像をシートに形成する。画像形成装置は、表示部と、制御部と、像担持体と、記憶部と、濃度検出部とを備える。制御部は、前記シートに前記画像が形成される前に、前記画像のサムネイル画像を表示するように、前記表示部を制御する。記憶部は、前記画像の濃度を評価するための評価画像を記憶する。濃度検出部は、前記像担持体に形成された前記評価画像の濃度を検出する。前記制御部は、前記評価画像の濃度の第１検出値と第２検出値との差分の大きさに応じて前記画像のプレビュー画像の表示を規制する。前記プレビュー画像は、前記サムネイル画像に代えて、トリガーに応じて表示される。前記画像に対する前記プレビュー画像の縮小率は、前記画像に対する前記サムネイル画像の縮小率よりも小さい。前記第１検出値と前記第２検出値とは、異なる時期に前記像担持体に形成された前記評価画像の検出値を示す。
【発明の効果】
【０００９】
本発明によれば、第１交換部品と相違する第２交換部品が装着されている場合に、シートに形成される画像の品質に関して誤解の生じる情報がユーザーに提示されることを抑制できる。また、本発明によれば、シートに形成される画像の品質に関して誤解の生じる情報がユーザーに提示されることを抑制できる。
【図面の簡単な説明】
【００１０】
【図１】本発明の実施形態１に係る画像形成装置を示す模式的断面図である。
【図２】（ａ）は、実施形態１に係る制御装置を示す図である。（ｂ）は、実施形態１に係る記憶部に記憶された評価画像を示す図である。
【図３】実施形態１に係る初期画面を示す図である。
【図４】実施形態１に係る第１コンテナ用の第１プレビュー画面を示す図である。
【図５】実施形態１に係る第１コンテナ用の第２プレビュー画面を示す図である。
【図６】実施形態１に係る第２コンテナ用の第１プレビュー画面と濃度チャートと濃度グラフとを示す図である。
【図７】実施形態１に係る制御部の実行する濃度分析処理を示すフローチャートである。
【図８】実施形態１に係る制御部の実行するプレビュー処理を示すフローチャートである。
【図９】実施形態１に係るプレビュー規制処理を示すフローチャートである。
【図１０】本発明の実施形態２に係るプレビュー規制処理の一例である第１プレビュー規制処理を示すフローチャートである。
【図１１】実施形態２に係る第２コンテナ用の第１プレビュー画面と濃度チャートと濃度グラフとを示す図である。
【図１２】実施形態２に係る第２コンテナ用の第２プレビュー画面を示す図である。
【図１３】実施形態２に係るプレビュー規制処理の一例である第２プレビュー規制処理を示すフローチャートである。
【図１４】実施形態２に係るプレビュー規制処理の一例である第３プレビュー規制処理を示すフローチャートである。
【図１５】実施形態２の第１変形例に係る第２コンテナ用の第１プレビュー画面を示す図である。
【図１６】本発明の実施形態３に係るプレビュー規制処理を示すフローチャートである。
【図１７】実施形態３の第１変形例に係る第２コンテナ用の第２プレビュー画面を示す図である。
【発明を実施するための形態】
【００１１】
以下、本発明の実施形態について、図面を参照しながら説明する。なお、図中、同一又は相当部分については同一の参照符号を付して説明を繰り返さない。
【００１２】
（実施形態１）
図１〜図９を参照して、本発明の実施形態１に係る画像形成装置１００を説明する。まず、図１を参照して、画像形成装置１００を説明する。図１は、画像形成装置１００を示す模式的断面図である。図１に示すように、画像形成装置１００は、電子写真方式の画像形成装置である。画像形成装置１００は、例えば、プリンター、コピー機、又は複合機であり、ファクシミリ機能を有していてもよい。
【００１３】
画像形成装置１００は、給送部Ａ１と、搬送部Ａ２と、トナー供給部Ａ３と、画像形成部Ａ４と、排出部Ａ５と、原稿搬送部Ａ６と、読取部Ａ７と、入力部Ａ８と、濃度センサーＳＮと、制御装置Ａ９とを備える。制御装置Ａ９は、画像形成装置１００の動作を制御する。「濃度センサーＳＮ」は、「濃度検出部」の一例に相当する。
【００１４】
給送部Ａ１は、複数のシートＰを収容する。シートＰは、例えば、用紙である。給送部Ａ１は、搬送部Ａ２へシートＰを給送する。搬送部Ａ２は、画像形成部Ａ４にシートＰを搬送する。搬送部Ａ２は複数の搬送ローラーを含む。
【００１５】
トナー供給部Ａ３は、画像形成部Ａ４にトナーを供給する。「トナー」は「消耗品」の一例に相当する。具体的には、トナー供給部Ａ３は、互いに異なる色のトナーを収容する複数のトナーコンテナ４１（実施形態１ではトナーコンテナ４１ａ〜トナーコンテナ４１ｄ）と、複数のリーダーＲＤを含む。トナーコンテナ４１の各々は画像形成装置１００に装着される。トナーコンテナ４１の各々は画像形成装置１００に対して着脱自在である。トナーコンテナ４１は、「交換部品」の一例に相当する。
【００１６】
トナーコンテナ４１ａは、イエロー色のトナーを収容し、画像形成部Ａ４にイエロー色のトナーを供給する。トナーコンテナ４１ｂは、マゼンタ色のトナーを収容し、画像形成部Ａ４にマゼンタ色のトナーを供給する。トナーコンテナ４１ｃは、シアン色のトナーを収容し、画像形成部Ａ４にシアン色のトナーを供給する。トナーコンテナ４１ｄは、ブラック色のトナーを収容し、画像形成部Ａ４にブラック色のトナーを供給する。
【００１７】
トナーコンテナ４１の各々は、ＩＣ（Ｉｎｔｅｇｒａｔｅｄ  Ｃｉｒｃｕｉｔ）タグＧを含む。ＩＣタグＧは、トナーコンテナ４１の周面に配置される。ＩＣタグＧは、トナーコンテナ４１の識別情報を記憶する。複数のリーダーＲＤは、それぞれ、複数のトナーコンテナ４１に対応して配置される。リーダーＲＤは、ＩＣタグＧからトナーコンテナ４１の識別情報を読み取る。
【００１８】
画像形成部Ａ４は、トナーコンテナ４１に収容されたトナーを消費して、画像データに基づく画像をシートＰに形成する。
【００１９】
具体的には、画像形成部Ａ４は、露光部１１、複数の作像部１３（実施形態１では作像部１３ａ〜作像部１３ｄ）、中間転写ベルト１５、２次転写ローラー１７、及び定着部１９を含む。
【００２０】
露光部１１は、画像データに基づく光を作像部１３の各々に照射し、作像部１３の各々に静電潜像を形成する。作像部１３ａは、静電潜像に基づきイエロー色のトナー像を形成し、作像部１３ｂは、静電潜像に基づきマゼンタ色のトナー像を形成する。作像部１３ｃは、静電潜像に基づきシアン色のトナー像を形成し、作像部１３ｄは、静電潜像に基づきブラック色のトナー像を形成する。
【００２１】
中間転写ベルト１５の外表面には、複数の作像部１３から複数色のトナー像が重畳して転写され、画像が形成される。つまり、中間転写ベルト１５は、画像を担持する。中間転写ベルト１５は、「像担持体」の一例に相当する。２次転写ローラー１７は、中間転写ベルト１５の外表面に形成された画像をシートＰに転写する。定着部１９はシートＰを加熱及び加圧して、画像をシートＰに定着させる。
【００２２】
更に具体的には、作像部１３の各々は、感光体ドラム３０、帯電部３１、現像部３３、１次転写ローラー３５、及びクリーニング部３７を含む。複数の感光体ドラム３０は、中間転写ベルト１５の外表面に当接し、中間転写ベルト１５の回転方向に沿って配置される。複数の１次転写ローラー３５は、複数の感光体ドラム３０に対応して設けられ、中間転写ベルト１５を介して、複数の感光体ドラム３０に対向する。
【００２３】
帯電部３１は感光体ドラム３０の周面を帯電する。感光体ドラム３０の周面には、露光部１１によって光が照射され、静電潜像が形成される。現像部３３は、静電潜像にトナーを付着させて、静電潜像を現像し、感光体ドラム３０の周面にトナー像を形成する。つまり、感光体ドラム３０はトナー像を担持する。１次転写ローラー３５は、感光体ドラム３０に形成されたトナー像を中間転写ベルト１５の外表面に転写する。クリーニング部３７は、感光体ドラム３０の周面に残留しているトナーを除去する。
【００２４】
搬送部Ａ２は、画像形成部Ａ４によって画像の形成されたシートＰを排出部Ａ５に搬送する。排出部Ａ５は画像形成装置１００の外部にシートＰを排出する。排出部Ａ５は排出ローラーを含む。
【００２５】
原稿搬送部Ａ６は、原稿Ｒを読取部Ａ７に搬送する。読取部Ａ７は、原稿Ｒに形成された原稿画像を読み取って、原稿画像を示す画像データを生成する。入力部Ａ８は、ユーザーからの入力を受け付ける。入力部Ａ８は、種々の画像を表示する表示部４５を含む。表示部４５は、例えば、液晶ディスプレーを含む。また、表示部４５は、タッチパネル４５ａを含む。タッチパネル４５ａは、ユーザーの接触による入力を受け付ける。
【００２６】
濃度センサーＳＮは、中間転写ベルト１５に形成された複数の評価画像の各々の濃度を検出する。評価画像の各々は、シートＰに形成される画像の濃度を評価するための画像である。例えば、濃度センサーＳＮは、反射型濃度センサーである。反射型濃度センサーは、中間転写ベルト１５に形成された評価画像へ光を出射し、評価画像からの反射光の第１成分と第２成分とを検出する。第１成分と第２成分とは互いに偏光面が直交する。具体的には、第１成分は、Ｐ波（Ｐ偏光）成分を示し、第２成分はＳ波（Ｓ偏光）成分を示す。反射型濃度センサーは、Ｐ波成分とＳ波成分とに基づいて、中間転写ベルト１５に形成された評価画像の濃度を検出する。
【００２７】
次に、図２（ａ）及び図２（ｂ）を参照して、制御装置Ａ９を説明する。図２（ａ）は、制御装置Ａ９を示す図である。図２（ａ）に示すように、制御装置Ａ９は、制御部５１と、記憶部５３とを含む。制御部５１は、ＣＰＵ（Ｃｅｎｔｒａｌ  Ｐｒｏｃｅｓｓｉｎｇ  Ｕｎｉｔ）のようなプロセッサーを含む。記憶部５３は、記憶装置を含み、データ及びコンピュータープログラムを記憶する。記憶部５３は、半導体メモリーのような主記憶装置と、半導体メモリー及び／又はハードディスクドライブのような補助記憶装置とを含む。記憶部５３は、リムーバブルメディアを含んでいてもよい。制御部５１のプロセッサーは、記憶部５３の記憶装置の記憶しているコンピュータープログラムを実行して、画像形成装置１００の各構成（例えば表示部４５）を制御する。
【００２８】
制御部５１は、読取部Ａ７から原稿画像を示す画像データを取得する。具体的には、読取部Ａ７が単数の原稿から単数の原稿画像を読み取った場合は、制御部５１は、単数の原稿画像を示す単数の画像データを読取部Ａ７から取得する。読取部Ａ７が複数の原稿から複数の原稿画像を読み取った場合は、制御部５１は、複数の原稿画像をそれぞれ示す複数の画像データを読取部Ａ７から取得する。
【００２９】
制御部５１は、原稿画像を示す画像データを取得すると、表示部４５が初期画面（以下、「初期画面ＳＣ０」と記載する。）を表示するように、表示部４５を制御する。初期画面ＳＣ０は、プレビュー画面を表示する前に表示される画面である。
【００３０】
制御部５１は、リーダーＲＤの各々から、トナーコンテナ４１の識別情報を取得する。そして、トナーコンテナ４１ごとに、制御部５１は、識別情報に基づいて、トナーコンテナ４１が、第１コンテナＴＣ１であるか、第２コンテナＴＣ２であるかを判定する。第１コンテナＴＣ１は、例えば、画像形成装置１００の専用コンテナである。第２コンテナＴＣ２は、第１コンテナＴＣ１と相違する。第２コンテナＴＣ２は、例えば、非専用コンテナである。第１コンテナＴＣ１は「第１交換部品」の一例に相当し、第２コンテナＴＣ２は「第２交換部品」の一例に相当する。
【００３１】
具体的には、記憶部５３は、複数の色にそれぞれ対応する複数の第１コンテナＴＣ１の各々の識別情報（以下、「参照識別情報」と記載する。）を記憶する。制御部５１は、トナーコンテナ４１ごとに、リーダーＲＤから取得した識別情報と参照識別情報とを比較する。そして、制御部５１は、リーダーＲＤから取得した識別情報と参照識別情報とが一致した場合に、トナーコンテナ４１が第１コンテナＴＣ１であると判定する。一方、制御部５１は、リーダーＲＤから取得した識別情報と参照識別情報とが一致しなかった場合に、トナーコンテナ４１が第２コンテナＴＣ２であると判定する。
【００３２】
制御部５１は、濃度センサーＳＮから、中間転写ベルト１５に形成された評価画像の濃度の検出値を取得する。以下、第１コンテナＴＣ１のトナーによって中間転写ベルト１５に形成された評価画像の濃度の検出値を「第１検出値」と記載する。つまり、「第１検出値」は、トナーコンテナ４１が第１コンテナＴＣ１であるときの評価画像の濃度の検出値である。第２コンテナＴＣ２のトナーによって中間転写ベルト１５に形成された評価画像の濃度の検出値を「第２検出値」と記載する。つまり、「第２検出値」は、トナーコンテナ４１が第２コンテナＴＣ２であるときの評価画像の濃度の検出値である。「第１検出値」及び「第２検出値」を総称して「出力濃度値」と記載する場合がある。記憶部５３は、評価画像を記憶している。記憶部５３が記憶している評価画像の示す濃度値を「入力濃度値」と記載する場合がある。
【００３３】
図２（ｂ）は、評価画像Ｑａ〜評価画像Ｑｄを示す図である。図２（ａ）及び図２（ｂ）に示すように、記憶部５３は、複数の評価画像Ｑａ（実施形態１では評価画像Ｑａ１〜評価画像ＱａＮ）、複数の評価画像Ｑｂ（実施形態１では評価画像Ｑｂ１〜評価画像ＱｂＮ）、複数の評価画像Ｑｃ（実施形態１では評価画像Ｑｃ１〜評価画像ＱｃＮ）、及び複数の評価画像Ｑｄ（実施形態１では評価画像Ｑｄ１〜評価画像ＱｄＮ）を記憶している。「Ｎ」は１以上の整数を示す。実施形態１では、「Ｎ」は２以上の整数を示す。なお、評価画像Ｑａ〜評価画像Ｑｄを総称して「評価画像Ｑ」と記載する場合がある。
【００３４】
評価画像Ｑａ１〜評価画像ＱａＮの各々は、トナーコンテナ４１ａのトナーの色を有している。評価画像Ｑａ１〜評価画像ＱａＮは互いに異なる濃度値を示す。そして、評価画像Ｑａ１から評価画像ＱａＮに向かって、段階的に濃度値が大きくなる。
【００３５】
評価画像Ｑｂ１〜評価画像ＱｂＮの各々は、トナーコンテナ４１ｂのトナーの色を有している。評価画像Ｑｂ１〜評価画像ＱｂＮは互いに異なる濃度値を示す。そして、評価画像Ｑｂ１から評価画像ＱｂＮに向かって、段階的に濃度値が大きくなる。
【００３６】
評価画像Ｑｃ１〜評価画像ＱｃＮの各々は、トナーコンテナ４１ｃのトナーの色を有している。評価画像Ｑｃ１〜評価画像ＱｃＮは互いに異なる濃度値を示す。そして、評価画像Ｑｃ１から評価画像ＱｃＮに向かって、段階的に濃度値が大きくなる。
【００３７】
評価画像Ｑｄ１〜評価画像ＱｄＮの各々は、トナーコンテナ４１ｄのトナーの色を有している。評価画像Ｑｄ１〜評価画像ＱｄＮは互いに異なる濃度値を示す。そして、評価画像Ｑｄ１から評価画像ＱｄＮに向かって、段階的に濃度値が大きくなる。
【００３８】
次に、図３を参照して、表示部４５が表示する初期画面ＳＣ０を説明する。図３は、初期画面ＳＣ０を示す図である。図３に示すように、表示部４５は初期画面ＳＣ０を表示する。初期画面ＳＣ０は特定領域６１を有する。初期画面ＳＣ０は、特定領域６１に表示されたサンプル画像６３と、プレビューボタン６５とを含む。サンプル画像６３は、記憶部５３に予め記憶されている。
【００３９】
プレビューボタン６５が押下されると、入力部Ａ８は第１トリガーＦＴを制御部５１に出力する。第１トリガーＦＴは、初期画面ＳＣ０を、第１プレビュー画面ＳＣ１又は第１プレビュー画面ＳＣ１Ｘに遷移させるためのトリガーである。
【００４０】
第１プレビュー画面ＳＣ１及び第１プレビュー画面ＳＣ１Ｘの各々は、読取原稿画像ＧＮをシートＰに形成する際のプレビュー画面である。読取原稿画像ＧＮは、読取部Ａ７から取得された画像データの示す画像であり、読取後の原稿画像を示す。読取原稿画像ＧＮは、「画像」の一例に相当する。
【００４１】
次に、図４を参照して第１コンテナＴＣ１用の第１プレビュー画面ＳＣ１を説明する。図４は、第１プレビュー画面ＳＣ１を示す図である。図４に示すように、表示部４５は、画像形成装置１００に装着された全てのトナーコンテナ４１が第１コンテナＴＣ１である場合に、第１トリガーＦＴに応じて第１プレビュー画面ＳＣ１を表示する。第１プレビュー画面ＳＣ１は第１所定領域６７を有する。第１プレビュー画面ＳＣ１は、第１所定領域６７に表示されたサムネイル画像６９と、詳細ボタン７１とを含む。つまり、制御部５１は、シートＰに読取原稿画像ＧＮが形成される前に、読取原稿画像ＧＮのサムネイル画像６９を表示するように、表示部４５を制御する。
【００４２】
サムネイル画像６９は、読取原稿画像ＧＮを縮小した画像を示す。制御部５１は、第１プレビュー画面ＳＣ１において、詳細ボタン７１を有効にする。従って、詳細ボタン７１が押下されると、入力部Ａ８は第２トリガーＳＴを制御部５１に出力する。第２トリガーＳＴは、第１プレビュー画面ＳＣ１を、第２プレビュー画面ＳＣ２に遷移させるためのトリガーである。第２トリガーＳＴは「トリガー」の一例に相当する。第２プレビュー画面ＳＣ２は、第１プレビュー画面ＳＣ１よりも詳細に読取原稿画像ＧＮの情報を表示する画面である。
【００４３】
次に、図５を参照して第１コンテナＴＣ１用の第２プレビュー画面ＳＣ２を説明する。図５は、第２プレビュー画面ＳＣ２を示す図である。図５に示すように、表示部４５は、第２トリガーＳＴに応じて第２プレビュー画面ＳＣ２を表示する。第２プレビュー画面ＳＣ２は、第２所定領域７３に表示されたプレビュー画像７５と、拡縮ボタン７７と、ページめくりボタン７９と、複数の移動ボタン８３とを含む。つまり、トナーコンテナ４１が第１コンテナＴＣ１である場合、制御部５１は、読取原稿画像ＧＮのプレビュー画像７５を表示するように、第２トリガーＳＴに応じて表示部４５を制御する。第２プレビュー画面ＳＣ２は、読取原稿画像ＧＮをシートＰに形成する際のプレビュー画面である。
【００４４】
プレビュー画像７５は、読取原稿画像ＧＮを縮小した画像を示す。読取原稿画像ＧＮに対するプレビュー画像７５の縮小率は、読取原稿画像ＧＮに対するサムネイル画像６９の縮小率よりも小さい。つまり、プレビュー画像７５はサムネイル画像６９よりも大きい。ただし、拡縮ボタン７７の押下に応じて、プレビュー画像７５は拡大又は縮小される。
【００４５】
制御部５１は、第２プレビュー画面ＳＣ２において、拡縮ボタン７７とページめくりボタン７９と移動ボタン８３とを有効にする。拡縮ボタン７７は、プレビュー画像７５を拡大又は縮小するためのボタンである。制御部５１は、拡縮ボタン７７の押下に応じて、プレビュー画像７５を拡大又は縮小するように、表示部４５を制御する。具体的には、拡縮ボタン７７は、拡大ボタン７７ａと縮小ボタン７７ｂとを含む。拡大ボタン７７ａの押下に応じて、プレビュー画像７５が拡大される。縮小ボタン７７ｂの押下に応じて、プレビュー画像７５が縮小される。
【００４６】
ページめくりボタン７９は、複数ページの読取原稿画像が存在する場合に、ページをめくって、第２所定領域７３に表示されるプレビュー画像７５を変更するためのボタンである。制御部５１は、ページめくりボタン７９の押下に応じて、ページをめくってプレビュー画像７５を変更するように、表示部４５を制御する。
【００４７】
具体的には、ページめくりボタン７９は、第１めくりボタン７９ａ〜第４めくりボタン７９ｄを含む。第１めくりボタン７９ａの押下に応じて、第１方向に向かって１枚ずつプレビュー画像７５が変更される。第２めくりボタン７９ｂの押下に応じて、第１方向と逆の第２方向に向かって１枚ずつプレビュー画像７５が変更される。第３めくりボタン７９ｃの押下に応じて、第１方向に向かって所定枚数単位でプレビュー画像７５が変更される。第４めくりボタン７９ｄの押下に応じて、第２方向に向かって所定枚数単位でプレビュー画像７５が変更される。
【００４８】
移動ボタン８３の各々は、プレビュー画像７５を移動させるためのボタンである。複数の移動ボタン８３は、それぞれ、互いに異なる複数の方向を示す。制御部５１は、移動ボタン８３の押下に応じて、移動ボタン８３の示す方向にプレビュー画像７５を移動するように、表示部４５を制御する。
【００４９】
次に、図６を参照して、第２コンテナＴＣ２用の第１プレビュー画面ＳＣ１Ｘを説明する。図６は、第１プレビュー画面ＳＣ１Ｘと濃度チャート８５と濃度グラフ９１とを示す図である。図６では、トナーコンテナ４１ａ及びトナーコンテナ４１ｂの各々が第２コンテナＴＣ２であり、トナーコンテナ４１ｃ及びトナーコンテナ４１ｄの各々が第１コンテナＴＣ１である例を示している。
【００５０】
図６に示すように、表示部４５は、画像形成装置１００に装着された複数のトナーコンテナ４１に第２コンテナＴＣ２が含まれる場合に、第１トリガーＦＴに応じて、第１プレビュー画面ＳＣ１Ｘと、複数の濃度チャート８５（実施形態１では濃度チャート８５ａ〜濃度チャート８５ｄ）と、複数の濃度グラフ９１（実施形態１では濃度グラフ９１ａ〜濃度グラフ９１ｄ）とを表示する。
【００５１】
第１プレビュー画面ＳＣ１Ｘの構成は第１プレビュー画面ＳＣ１（図４）の構成と同様である。つまり、制御部５１は、シートＰに読取原稿画像ＧＮが形成される前に、読取原稿画像ＧＮのサムネイル画像６９を表示するように、表示部４５を制御する。ただし、制御部５１は詳細ボタン７１無効にしている。従って、詳細ボタン７１が押下されても、第２トリガーＳＴは出力されない。つまり、トナーコンテナ４１が第２コンテナＴＣ２である場合、制御部５１は、プレビュー画像７５の表示を規制する。なお、無効な詳細ボタン７１の色と有効な詳細ボタン７１の色とは異なる。
【００５２】
実施形態１では、トナーコンテナ４１が第２コンテナＴＣ２である場合、制御部５１は、プレビュー画像７５の表示を禁止する。つまり、実施形態１では、「プレビュー画像７５の表示を規制すること」は、「プレビュー画像７５の表示を禁止すること」を示す。
【００５３】
従って、実施形態１によれば、第２コンテナＴＣ２が画像形成装置１００に装着されている場合に、シートＰに形成される読取原稿画像ＧＮの品質（例えば、色味）に関して誤解の生じる情報がユーザーに提示されることを抑制できる。
【００５４】
例えば、プレビュー画像７５は、第１コンテナＴＣ１のトナーを使用することを前提にして作成される。従って、プレビュー画像７５の色味は、第１コンテナＴＣ１のトナーによってシートＰに形成された読取原稿画像ＧＮの色味に近似する。一方、第２コンテナＴＣ２のトナーによってシートＰに形成された読取原稿画像ＧＮの色味が、第１コンテナＴＣ１のトナーによってシートＰに形成された読取原稿画像ＧＮの色味と異なる場合がある。
【００５５】
その結果、第２コンテナＴＣ２が画像形成装置１００に装着されている場合に、プレビュー画像７５の色味がシートＰに形成された読取原稿画像ＧＮの色味と異なる場合が発生し得る。そこで、第２コンテナＴＣ２が画像形成装置１００に装着されている場合に、敢えてプレビュー画像７５の表示を禁止することで、シートＰに形成される読取原稿画像ＧＮの品質に関して誤解の生じる情報がユーザーに提示されることを抑制する。また、プレビュー画像７５の表示を禁止するという簡素な処理によって、読取原稿画像ＧＮの品質に関して誤解の生じる情報がユーザーに提示されることを抑制できる。
【００５６】
濃度チャート８５ａは、複数の第１評価画像８７ａ（実施形態１では第１評価画像８７ａ１〜８７ａＮ）と、複数の第２評価画像８９ａ（実施形態１では第２評価画像８９ａ１〜８９ａＮ）とを含む。表示部４５の表示する第１評価画像８７ａ１〜８７ａＮは、それぞれ、評価画像Ｑａ１〜ＱａＮ（図２（ｂ））の濃度の第１検出値に相当する濃度値を示す。表示部４５の表示する第２評価画像８９ａ１〜８９ａＮは、それぞれ、評価画像Ｑａ１〜ＱａＮの濃度の第２検出値に相当する濃度値を示す。
【００５７】
濃度チャート８５ｂは、複数の第１評価画像８７ｂ（実施形態１では第１評価画像８７ｂ１〜８７ｂＮ）と、複数の第２評価画像８９ｂ（実施形態１では第２評価画像８９ｂ１〜８９ｂＮ）とを含む。第１評価画像８７ｂ１〜８７ｂＮは、それぞれ、評価画像Ｑｂ１〜ＱｂＮ（図２（ｂ））の濃度の第１検出値に相当する濃度値を示す。第２評価画像８９ｂ１〜８９ｂＮは、それぞれ、評価画像Ｑｂ１〜ＱｂＮの濃度の第２検出値に相当する濃度値を示す。
【００５８】
濃度チャート８５ｃは、複数の第１評価画像８７ｃ（実施形態１では第１評価画像８７ｃ１〜８７ｃＮ）を含む。第１評価画像８７ｃ１〜８７ｃＮは、それぞれ、評価画像Ｑｃ１〜ＱｃＮ（図２（ｂ））の濃度の第１検出値に相当する濃度値を示す。
【００５９】
濃度チャート８５ｄは、複数の第１評価画像８７ｄ（実施形態１では第１評価画像８７ｄ１〜８７ｄＮ）を含む。第１評価画像８７ｄ１〜８７ｄＮは、それぞれ、評価画像Ｑｄ１〜ＱｄＮ（図２（ｂ））の濃度の第１検出値に相当する濃度値を示す。
【００６０】
濃度グラフ９１ａは、第１グラフ９３ａと第２グラフ９５ａとを含む。第１グラフ９３ａは、記憶部５３に記憶されている複数の評価画像Ｑａ（図２（ｂ））の示す濃度値（つまり、入力濃度値）と複数の評価画像Ｑａの濃度の第１検出値（つまり、出力濃度値）との関係を示す。第２グラフ９５ａは、複数の評価画像Ｑａの示す濃度値（つまり、入力濃度値）と複数の評価画像Ｑａの濃度の第２検出値（つまり、出力濃度値）との関係を示す。
【００６１】
濃度グラフ９１ｂは、第１グラフ９３ｂと第２グラフ９５ｂとを含む。第１グラフ９３ｂは、複数の評価画像Ｑｂ（図２（ｂ））の示す濃度値（つまり、入力濃度値）と複数の評価画像Ｑｂの濃度の第１検出値（つまり、出力濃度値）との関係を示す。第２グラフ９５ｂは、複数の評価画像Ｑｂの示す濃度値（つまり、入力濃度値）と複数の評価画像Ｑｂの濃度の第２検出値（つまり、出力濃度値）との関係を示す。
【００６２】
濃度グラフ９１ｃは、第１グラフ９３ｃを含む。第１グラフ９３ｃは、複数の評価画像Ｑｃ（図２（ｂ））の示す濃度値（つまり、入力濃度値）と複数の評価画像Ｑｃの濃度の第１検出値（つまり、出力濃度値）との関係を示す。
【００６３】
濃度グラフ９１ｄは、第１グラフ９３ｄを含む。第１グラフ９３ｄは、複数の評価画像Ｑｄ（図２（ｂ））の示す濃度値（つまり、入力濃度値）と複数の評価画像Ｑｄの濃度の第１検出値（つまり、出力濃度値）との関係を示す。
【００６４】
以上、図６を参照して説明したように、実施形態１によれば、トナーコンテナ４１が第２コンテナＴＣ２である場合、制御部５１は、第１評価画像８７ａ及び第２評価画像８９ａと、第１評価画像８７ｂ及び第２評価画像８９ｂと、第１グラフ９３ａ及び第１グラフ９３ｂと、第２グラフ９５ａ及び第２グラフ９５ｂとを表示するように、第１トリガーＦＴに応じて表示部４５を制御する。
【００６５】
従って、ユーザーは、第１評価画像８７ａと第２評価画像８９ａとを比較することで、第１コンテナＴＣ１のトナーによる濃度と第２コンテナＴＣ２のトナーによる濃度との差異を容易に視認できる。加えて、ユーザーは、第１グラフ９３ａと第２グラフ９５ａとを比較することで、第１コンテナＴＣ１のトナーによる濃度と第２コンテナＴＣ２のトナーによる濃度との差異を容易に視認できる。
【００６６】
その結果、ユーザーは、第１コンテナＴＣ１と第２コンテナＴＣ２との優劣を容易に認識できる。なお、第１評価画像８７ｂと第２評価画像８９ｂとの比較、及び、第１グラフ９３ｂと第２グラフ９５ｂとの比較によっても、同様に、第１コンテナＴＣ１と第２コンテナＴＣ２との優劣を容易に認識できる。
【００６７】
また、実施形態１によれば、複数のトナーコンテナ４１ごとに、濃度チャート８５及び濃度グラフ９１が表示されるため、ユーザーは、トナーコンテナ４１ごとに、第１コンテナＴＣ１と第２コンテナＴＣ２との優劣を容易に認識できる。
【００６８】
次に、図２（ａ）、図２（ｂ）、及び図７を参照して、制御部５１の実行する濃度分析処理を説明する。図７は、濃度分析処理を示すフローチャートである。図７に示すように、濃度分析処理は、ステップＳ１〜ステップＳ１７を含む。なお、ステップＳ１が実行される時点では、全てのトナーコンテナ４１が第１コンテナＴＣ１である。
【００６９】
図２（ａ）、図２（ｂ）、及び図７に示すように、ステップＳ１において、制御部５１は、複数の評価画像Ｑａ〜Ｑｄを中間転写ベルト１５に形成するように、画像形成部Ａ４を制御する。
【００７０】
ステップＳ３において、制御部５１は、濃度センサーＳＮから、評価画像Ｑａ〜Ｑｄの濃度の第１検出値を取得する。
【００７１】
ステップＳ５において、制御部５１は、トナーコンテナ４１が交換されたか否かを判定する。
【００７２】
否定判定がされた場合（ステップＳ５でＮｏ）、処理はステップＳ５で待機する。
【００７３】
一方、肯定判定がされた場合（ステップＳ５でＹｅｓ）、処理はステップＳ７に進む。
【００７４】
ステップＳ７において、制御部５１は、リーダーＲＤから取得した識別情報と記憶部５３に記憶されている参照識別情報とに基づいて、新たに装着されたトナーコンテナ４１が第２コンテナＴＣ２か否かを判定する。
【００７５】
否定判定がされた場合（ステップＳ７でＮｏ）、処理はステップＳ５に戻る。
【００７６】
一方、肯定判定がされた場合（ステップＳ７でＹｅｓ）、処理はステップＳ９に進む。
【００７７】
ステップＳ９において、制御部５１は、複数の評価画像Ｑａ〜Ｑｄのうち第２コンテナＴＣ２のトナーの色を有する評価画像を中間転写ベルト１５に形成するように、画像形成部Ａ４を制御する。以下、ステップＳ７においてトナーコンテナ４１ａが第２コンテナＴＣ２であると判定された場合の例を説明する。従って、複数の評価画像Ｑａが中間転写ベルト１５に形成される。
【００７８】
ステップＳ１１において、制御部５１は、濃度センサーＳＮから、複数の評価画像Ｑａの各々の濃度の第２検出値を取得する。
【００７９】
ステップＳ１３において、制御部５１は、評価画像Ｑａごとに、第１検出値と第２検出値との差分を算出する。ステップＳ１３はスキップしてもよい。
【００８０】
ステップＳ１５において、制御部５１は、トナーコンテナ４１ごとに、濃度チャート８５（図６）を作成する。
【００８１】
具体的には、制御部５１は、トナーコンテナ４１ａに対応して、複数の第１評価画像８７ａと、複数の第２評価画像８９ａとを作成する。制御部５１は、評価画像Ｑａの濃度の第１検出値に基づいて、記憶部５３に記憶されている評価画像Ｑａを処理して、第１評価画像８７ａを作成する。なお、制御部５１は、記憶部５３に記憶されている評価画像Ｑａを第１評価画像８７ａに設定してもよい。制御部５１は、評価画像Ｑａの濃度の第２検出値に基づいて、記憶部５３に記憶されている評価画像Ｑａを処理して、第２評価画像８９ａを作成する。
【００８２】
制御部５１は、トナーコンテナ４１ｂに対応して、複数の第１評価画像８７ｂを作成する。制御部５１は、トナーコンテナ４１ｃに対応して、複数の第１評価画像８７ｃを作成する。制御部５１は、トナーコンテナ４１ｄに対応して、複数の第１評価画像８７ｄを作成する。第１評価画像８７ｂ〜第１評価画像８７ｄの各々は、第１評価画像８７ａと同様にして作成される。
【００８３】
ステップＳ１７において、制御部５１は、トナーコンテナ４１ごとに、濃度グラフ９１（図６）を作成する。
【００８４】
次に、図２（ａ）及び図８を参照して、制御部５１の実行するプレビュー処理を説明する。図８は、プレビュー処理を示すフローチャートである。図８に示すように、プレビュー処理は、ステップＳ２１〜ステップＳ３９を含む。
【００８５】
図２（ａ）及び図８に示すように、ステップＳ２１において、制御部５１は、原稿画像を読みとるように、読取部Ａ７を制御する。そして、制御部５１は、読取部Ａ７から原稿画像を示す画像データを取得する。
【００８６】
ステップＳ２３において、制御部５１は、初期画面ＳＣ０（図３）を表示するように、表示部４５を制御する。
【００８７】
ステップＳ２５において、制御部５１は、リーダーＲＤから取得した識別情報と参照識別情報とに基づいて、複数のトナーコンテナ４１に第２コンテナＴＣ２が含まれるか否かを判定する。
【００８８】
肯定判定がされた場合（ステップＳ２５でＹｅｓ）、処理はステップＳ３９に進む。
【００８９】
一方、否定判定がされた場合（ステップＳ２５でＮｏ）、つまり、全てのトナーコンテナ４１が第１コンテナＴＣ１と判定された場合、処理はステップＳ２７に進む。
【００９０】
ステップＳ２７において、制御部５１は、第１トリガーＦＴが入力されたか否かを判定する。
【００９１】
否定判定がされた場合（ステップＳ２７でＮｏ）、処理はステップＳ２７で待機する。
【００９２】
一方、肯定判定がされた場合（ステップＳ２７でＹｅｓ）、処理はステップＳ２９に進む。
【００９３】
ステップＳ２９において、制御部５１は、ステップＳ２１で取得した画像データの示す読取原稿画像ＧＮに基づいてサムネイル画像６９を作成する。
【００９４】
ステップＳ３１において、制御部５１は、第１プレビュー画面ＳＣ１（図４）を表示するように、表示部４５を制御する。
【００９５】
ステップＳ３３において、制御部５１は、第２トリガーＳＴが入力されたか否かを判定する。
【００９６】
否定判定がされた場合（ステップＳ３３でＮｏ）、処理はステップＳ３３で待機する。
【００９７】
一方、肯定判定がされた場合（ステップＳ３３でＹｅｓ）、処理はステップＳ３５に進む。
【００９８】
ステップＳ３５において、制御部５１は、読取原稿画像ＧＮに基づいてプレビュー画像７５を作成する。
【００９９】
ステップＳ３７において、制御部５１は、第２プレビュー画面ＳＣ２（図５）を表示するように、表示部４５を制御する。
【０１００】
ステップＳ２５で肯定判定された後、ステップＳ３９において、制御部５１は、プレビュー規制処理を実行する。具体的には、制御部５１は、プレビュー画像７５の表示を禁止する。
【０１０１】
次に、図２（ａ）及び図９を参照して、ステップＳ３９のプレビュー規制処理を説明する。図９は、プレビュー規制処理を示すフローチャートである。図９に示すように、プレビュー規制処理は、ステップＳ５１〜ステップＳ５５を含む。
【０１０２】
ステップＳ５１において、制御部５１は、第１トリガーＦＴが入力されたか否かを判定する。
【０１０３】
否定判定がされた場合（ステップＳ５１でＮｏ）、処理はステップＳ５１で待機する。
【０１０４】
一方、肯定判定がされた場合（ステップＳ５１でＹｅｓ）、処理はステップＳ５３に進む。
【０１０５】
ステップＳ５３において、制御部５１は、ステップＳ２１で取得した画像データの示す読取原稿画像ＧＮに基づいてサムネイル画像６９（図６）を作成する。
【０１０６】
ステップＳ５５において、制御部５１は、第１プレビュー画面ＳＣ１Ｘと濃度チャート８５と濃度グラフ９１と（図６）を表示するように、表示部４５を制御する。
【０１０７】
（実施形態２）
図２（ａ）、図８、及び図１０〜図１４を参照して、本発明の実施形態２に係る画像形成装置１００を説明する。実施形態２では、トナーコンテナ４１が第２コンテナＴＣ２であっても、所定条件の下、プレビュー画像を表示する点で、実施形態２は実施形態１と異なる。以下、実施形態２が実施形態１と異なる点を主に説明する。
【０１０８】
図２（ａ）及び図８に示すように、ステップＳ３９において、制御部５１はプレビュー規制処理を実行する。具体的には、制御部５１は、複数のトナーコンテナ４１に第２コンテナＴＣ２が含まれる場合、プレビュー画像の表示を規制する。従って、実施形態２によれば、実施形態１と同様に、第２コンテナＴＣ２が画像形成装置１００に装着されている場合に、シートＰに形成される読取原稿画像ＧＮの品質（例えば、色味）に関して誤解の生じる情報がユーザーに提示されることを抑制できる。特に、プレビュー画像の表示を規制するだけであり、所定条件の下でプレビュー画像を表示できるため、ユーザーの利便性を向上できる。
【０１０９】
具体的には、複数のトナーコンテナ４１に第２コンテナＴＣ２が含まれる場合、制御部５１は、画像形成モードとコンテナ情報とトナー使用情報とのうちの少なくとも１つに基づいて、プレビュー画像に対する表示の規制の程度を決定する。「コンテナ情報」は「交換部品情報」の一例に相当する。「トナー使用情報」は「消耗品使用情報」の一例に相当する。
【０１１０】
画像形成モードは、シートＰに画像をカラーで形成するカラーモードと、シートＰに画像をモノクロで形成するモノクロモードとを含む。なお、画像形成装置１００は、入力部Ａ８が操作されてカラーモード又はモノクロモードに設定される。又は、ＡＣＳ（Ａｕｔｏ  Ｃｏｌｏｒ  Ｓｅｌｅｃｔｉｏｎ）モードにおいて、読取原稿画像ＧＮがカラーであると判定された場合に、画像形成装置１００はカラーモードに設定される。ＡＣＳモードにおいて、読取原稿画像ＧＮがモノクロであると判定された場合に、画像形成装置１００はモノクロモードに設定される。ＡＣＳモードにおいて、複数の読取原稿画像ＧＮにカラーとモノクロとが混在する場合は、読取原稿画像ＧＮごとに画像形成モードが設定されてもよい。
【０１１１】
コンテナ情報は、第１情報及び第２情報のうちの少なくとも１つを含む。第１情報は、複数のトナーコンテナ４１のうちの第２コンテナＴＣ２の割合を示す。第２情報は、読取原稿画像ＧＮをシートＰに形成するときの第２コンテナＴＣ２に収容されたトナーの使用量の計算値を示す。
【０１１２】
トナー使用情報は、読取原稿画像ＧＮをシートＰに形成するときに第２コンテナＴＣ２に収容されたトナーを使用するか否かを示す。
【０１１３】
以下、画像形成モードに基づくプレビュー規制処理を「第１プレビュー規制処理」と記載する。コンテナ情報に基づくプレビュー規制処理を「第２プレビュー規制処理」と記載する。トナー使用情報に基づくプレビュー規制処理を「第３プレビュー規制処理」と記載する。
【０１１４】
次に、図２（ａ）及び図１０を参照して、図８のステップＳ３９のプレビュー規制処理としての第１プレビュー規制処理を説明する。図１０は、第１プレビュー規制処理を示すフローチャートである。図１０に示すように、第１プレビュー規制処理は、ステップＳ６１〜ステップＳ６７を含む。ステップＳ６５は、ステップＳ８１及びステップＳ８３を含む。ステップＳ６７は、ステップＳ９１〜ステップＳ９９を含む。
【０１１５】
図２（ａ）及び図９に示すように、ステップＳ６１において、制御部５１は、第１トリガーＦＴが入力されたか否かを判定する。
【０１１６】
否定判定がされた場合（ステップＳ６１でＮｏ）、処理はステップＳ６１で待機する。
【０１１７】
一方、肯定判定がされた場合（ステップＳ６１でＹｅｓ）、処理はステップＳ６３に進む。
【０１１８】
ステップＳ６３において、制御部５１は、画像形成モードがカラーモードかモノクロモードかを判定する。
【０１１９】
ステップＳ６３において画像形成モードがカラーモードであると判定されると、処理はステップＳ６５に進む。
【０１２０】
ステップＳ８１において、制御部５１は、読取原稿画像ＧＮに基づいてサムネイル画像６９（図６）を作成する。
【０１２１】
ステップＳ８３において、制御部５１は、第１プレビュー画面ＳＣ１Ｘと濃度チャート８５と濃度グラフ９１と（図６）を表示するように、表示部４５を制御する。
【０１２２】
一方、ステップＳ６３において画像形成モードがモノクロモードであると判定されると、処理はステップＳ６７に進む。
【０１２３】
ステップＳ９１において、制御部５１は、読取原稿画像ＧＮに基づいてサムネイル画像６９を作成する。
【０１２４】
ステップＳ９３において、制御部５１は、第１プレビュー画面ＳＣ１Ｙと濃度チャート８５と濃度グラフ９１とを表示するように、を表示するように、表示部４５を制御する。
【０１２５】
図１１は、第１プレビュー画面ＳＣ１Ｙと濃度チャート８５と濃度グラフ９１とを示す図である。図１１に示すように、表示部４５は、第１プレビュー画面ＳＣ１Ｙと濃度チャート８５と濃度グラフ９１とを表示する。
【０１２６】
第１プレビュー画面ＳＣ１Ｙの構成は、第１プレビュー画面ＳＣ１Ｘ（図６）の構成と同様である。ただし、制御部５１は、第１プレビュー画面ＳＣ１Ｙにおいて、詳細ボタン７１を有効にする。従って、詳細ボタン７１が押下されると、入力部Ａ８は第２トリガーＳＴを制御部５１に出力する。第２トリガーＳＴは、第１プレビュー画面ＳＣ１Ｙと濃度チャート８５と濃度グラフ９１とを含む画面を、第２プレビュー画面ＳＣ２Ｘに遷移させるためのトリガーである。第２トリガーＳＴは「トリガー」の一例に相当する。第２プレビュー画面ＳＣ２Ｘは、第１プレビュー画面ＳＣ１Ｙよりも詳細に読取原稿画像ＧＮの情報を表示する画面である。
【０１２７】
図１２は、第２プレビュー画面ＳＣ２Ｘを示す図である。図１２に示すように、第２プレビュー画面ＳＣ２Ｘの構成は、第２プレビュー画面ＳＣ２（図５）の構成と同様である。ただし、制御部５１は、拡縮ボタン７７とページめくりボタン７９と移動ボタン８３とを無効にする。従って、第２プレビュー画面ＳＣ２Ｘの機能が制限される。なお、拡縮ボタン７７とページめくりボタン７９と移動ボタン８３との各々は、有効であるときの色と無効であるときの色とが異なっている。また、第２プレビュー画面ＳＣ２Ｘの第２所定領域７３にはプレビュー画像１１１が表示される。
【０１２８】
プレビュー画像１１１は、読取原稿画像ＧＮを縮小した画像を示す。読取原稿画像ＧＮに対するプレビュー画像１１１の縮小率は、読取原稿画像ＧＮに対するサムネイル画像６９の縮小率よりも小さい。つまり、プレビュー画像１１１はサムネイル画像６９よりも大きい。また、読取原稿画像ＧＮに対するプレビュー画像１１１の縮小率は、読取原稿画像ＧＮに対するプレビュー画像７５（図５）の縮小率よりも大きい。つまり、プレビュー画像１１１は、プレビュー画像７５よりも小さい。
【０１２９】
再び図２（ａ）及び図１０を参照して、ステップＳ９５において、制御部５１は、第２トリガーＳＴが入力されたか否かを判定する。
【０１３０】
否定判定がされた場合（ステップＳ９５でＮｏ）、処理はステップＳ９５で待機する。
【０１３１】
一方、肯定判定がされた場合（ステップＳ９５でＹｅｓ）、処理はステップＳ９７に進む。
【０１３２】
ステップＳ９７において、制御部５１は、読取原稿画像ＧＮに基づいてプレビュー画像１１１を作成する。
【０１３３】
ステップＳ９９において、制御部５１は、第２プレビュー画面ＳＣ２Ｘ（図１２）を表示するように、表示部４５を制御する。
【０１３４】
以上、図１０〜図１２を参照して説明したように、実施形態２によれば、制御部５１は、複数のトナーコンテナ４１に第２コンテナＴＣ２が含まれる場合、画像形成モードに基づいて、プレビュー画像１１１に対する表示の規制の程度を決定する。従って、画像形成時に使用するトナーの色に応じてプレビュー画像１１１に対する表示の規制の程度を適切に決定できる。
【０１３５】
例えば、モノクロモードでは、ブラック色のトナーのみが使用されるため、第１コンテナＴＣ１に基づく画像品質と、第２コンテナＴＣ２に基づく画像品質との差異が比較的小さい。そこで、モノクロモードでは、一定制限の下、プレビュー画像１１１を表示する。
【０１３６】
「第１コンテナＴＣ１に基づく画像品質」とは、第１コンテナＴＣ１のトナーによってシートＰに形成された読取原稿画像ＧＮの品質のことである。「第２コンテナＴＣ２に基づく画像品質」とは、第２コンテナＴＣ２のトナーによってシートＰに形成された読取原稿画像ＧＮの品質のことである。
【０１３７】
例えば、モノクロモードでは、ブラック色のトナーのみが使用されるため、第１コンテナＴＣ１に基づく画像品質と、第２コンテナＴＣ２に基づく画像品質との差異が比較的小さい。そこで、モノクロモードでは、一定制限の下、プレビュー画像１１１を表示する。
【０１３８】
一方、例えば、カラーモードでは、第１コンテナＴＣ１に基づく画像品質と、第２コンテナＴＣ２に基づく画像品質との差異が比較的大きくなる可能性がある。そこで、カラーモードでは、プレビュー画像１１１の表示を禁止する。
【０１３９】
また、図１２を参照して説明したように、実施形態２によれば、拡縮ボタン７７とページめくりボタン７９と移動ボタン８３とを無効にして、第２プレビュー画面ＳＣ２Ｘの機能が制限される。従って、ユーザーは、プレビュー画像１１１の概要を確認できるに過ぎない。その結果、第２コンテナＴＣ２が画像形成装置１００に装着されている場合に、シートＰに形成される読取原稿画像ＧＮの品質（例えば、色味）に関して誤解の生じる情報がユーザーに提示されることを抑制できる。
【０１４０】
次に、図２（ａ）及び図１３を参照して、図８のステップＳ３９のプレビュー規制処理としての第２プレビュー規制処理を説明する。図１３は、第２プレビュー規制処理を示すフローチャートである。図１３に示すように、第２プレビュー規制処理は、ステップＳ１１１〜ステップＳ１１９を含む。ステップＳ１１５は図１０のステップＳ６５と同様であり、ステップＳ１１９は図１０のステップＳ６７と同様である。
【０１４１】
図２（ａ）及び図１３に示すように、ステップＳ１１１において、制御部５１は、第１トリガーＦＴが入力されたか否かを判定する。
【０１４２】
否定判定がされた場合（ステップＳ１１１でＮｏ）、処理はステップＳ１１１で待機する。
【０１４３】
一方、肯定判定がされた場合（ステップＳ１１１でＹｅｓ）、処理はステップＳ１１３に進む。
【０１４４】
ステップＳ１１３において、制御部５１は、４個のトナーコンテナ４１のうちの第２コンテナＴＣ２の割合が第１閾値ＴＨ１以上か否かを判定する。第１閾値ＴＨ１は、例えば、２／４、３／４、又は、４／４である。
【０１４５】
肯定判定がされた場合（ステップＳ１１３でＹｅｓ）、処理はステップＳ１１５に進む。
【０１４６】
一方、否定判定がされた場合（ステップＳ１１３でＮｏ）、処理はステップＳ１１７に進む。
【０１４７】
ステップＳ１１７において、制御部５１は、読取原稿画像ＧＮをシートＰに形成するときの第２コンテナＴＣ２のトナーの使用量の計算値が第２閾値ＴＨ２以上か否かを判定する。
【０１４８】
肯定判定がされた場合（ステップＳ１１７でＹｅｓ）、処理はステップＳ１１５に進む。
【０１４９】
一方、否定判定がされた場合（ステップＳ１１７でＮｏ）、処理はステップＳ１１９に進む。
【０１５０】
以上、図１２及び図１３を参照して説明したように、実施形態２によれば、制御部５１は、複数のトナーコンテナ４１に第２コンテナＴＣ２が含まれる場合、コンテナ情報に基づいて、プレビュー画像１１１に対する表示の規制の程度を決定する。従って、第２コンテナＴＣ２の割合及び第２コンテナＴＣ２のトナーの使用量に応じてプレビュー画像１１１に対する表示の規制の程度を適切に決定できる。
【０１５１】
例えば、第２コンテナＴＣ２の割合が大きい場合又は第２コンテナＴＣ２の使用量の計算値が大きい場合は、第１コンテナＴＣ１に基づく画像品質と、第２コンテナＴＣ２に基づく画像品質との差異が比較的大きくなる可能性がある。そこで、プレビュー画像１１１の表示を禁止する。
【０１５２】
一方、例えば、第２コンテナＴＣ２の割合が小さい場合又は第２コンテナＴＣ２の使用量の計算値が小さい場合は、第１コンテナＴＣ１に基づく画像品質と、第２コンテナＴＣ２に基づく画像品質との差異が比較的小さくなる。そこで、一定制限の下、プレビュー画像１１１を表示する。
【０１５３】
次に、図２（ａ）及び図１４を参照して、図８のステップＳ３９のプレビュー規制処理としての第３プレビュー規制処理を説明する。図１４は、第３プレビュー規制処理を示すフローチャートである。図１４に示すように、第３プレビュー規制処理は、ステップＳ１２１〜ステップＳ１２７を含む。ステップＳ１２５は図１０のステップＳ６５と同様であり、ステップＳ１２７は図１０のステップＳ６７と同様である。
【０１５４】
図２（ａ）及び図１４に示すように、ステップＳ１２１において、制御部５１は、第１トリガーＦＴが入力されたか否かを判定する。
【０１５５】
否定判定がされた場合（ステップＳ１２１でＮｏ）、処理はステップＳ１２１で待機する。
【０１５６】
一方、肯定判定がされた場合（ステップＳ１２１でＹｅｓ）、処理はステップＳ１２３に進む。
【０１５７】
ステップＳ１２３において、制御部５１は、読取原稿画像ＧＮをシートＰに形成するときに第２コンテナＴＣ２のトナーを使用するか否かを判定する。
【０１５８】
肯定判定がされた場合（ステップＳ１２３でＹｅｓ）、処理はステップＳ１２５に進む。
【０１５９】
一方、否定判定がされた場合（ステップＳ１２３でＮｏ）、処理はステップＳ１２７に進む。
【０１６０】
以上、図１２及び図１４を参照して説明したように、実施形態２によれば、制御部５１は、複数のトナーコンテナ４１に第２コンテナＴＣ２が含まれる場合、トナー使用情報に基づいて、プレビュー画像１１１に対する表示の規制の程度を決定する。従って、第２コンテナＴＣ２のトナー使用の有無に応じてプレビュー画像１１１に対する表示の規制の程度を適切に決定できる。
【０１６１】
例えば、第２コンテナＴＣ２のトナーを使用する場合は、第１コンテナＴＣ１に基づく画像品質と、第２コンテナＴＣ２に基づく画像品質との差異が比較的大きくなる可能性がある。そこで、プレビュー画像１１１の表示を禁止する。
【０１６２】
一方、例えば、第２コンテナＴＣ２のトナーを使用しない場合は、第１コンテナＴＣ１に基づく画像品質と、第２コンテナＴＣ２に基づく画像品質との差異が比較的小さくなる。そこで、一定制限の下、プレビュー画像１１１を表示する。なお、第２コンテナＴＣ２のトナーを使用しない場合は、表示部４５は、第２プレビュー画面ＳＣ２（図５）を表示することもできる。
【０１６３】
（第１変形例）
図２（ａ）及び図１５を参照して、実施形態２の第１変形例に係る画像形成装置１００を説明する。第１変形例が、第１所定領域６７に複数のサムネイル画像６９を含む第１プレビュー画面ＳＣ１Ｚを表示する点で、第１変形例は実施形態２と異なる。以下、第１変形例が実施形態２と異なる点を主に説明する。
【０１６４】
図１５は、第１変形例に係る第１プレビュー画面ＳＣ１Ｚを示す図である。図１５に示すように、表示部４５は、画像形成装置１００に装着された複数のトナーコンテナ４１に第２コンテナＴＣ２が含まれる場合に、第１トリガーＦＴに応じて、第１プレビュー画面ＳＣ１Ｚと、濃度チャート８５（図１１）と、濃度グラフ９１（図１１）とを表示する。
【０１６５】
第１プレビュー画面ＳＣ１Ｚは第１所定領域６７を有する。第１プレビュー画面ＳＣ１Ｚは、第１所定領域６７に表示された複数のサムネイル画像６９と、複数の詳細ボタン７１と、複数の詳細不可アイコン１２７とを含む。つまり、シートＰに読取原稿画像ＧＮが形成される前に、複数の読取原稿画像ＧＮに対応する複数のサムネイル画像６９を表示部４５の第１所定領域６７に表示するように、制御部５１は表示部４５を制御する。
【０１６６】
詳細ボタン７１が押下されると、表示部４５は、第２プレビュー画面ＳＣ２Ｘ（図１２）を表示する。この場合、第２プレビュー画面ＳＣ２Ｘは、詳細ボタン７１に関連付けられたサムネイル画像６９に対応するプレビュー画像１１１を含む。
【０１６７】
詳細不可アイコン１２７は、詳細不可アイコン１２７に関連付けられたサムネイル画像６９に対応するプレビュー画像１１１の表示が禁止されていることを示す。従って、この場合、第２プレビュー画面ＳＣ２Ｘを表示することができない。
【０１６８】
具体的には、制御部５１は、次のようにして、サムネイル画像６９ごとに、サムネイル画像６９を詳細ボタン７１と関連付けるか、サムネイル画像６９を詳細不可アイコン１２７と関連付けるかを決定する。
【０１６９】
すなわち、複数のトナーコンテナ４１に第２コンテナＴＣ２が含まれる場合、制御部５１は、画像形成モードとコンテナ情報とトナー使用情報とのうちの少なくとも１つに基づいて、サムネイル画像６９ごとに、サムネイル画像６９に対応するプレビュー画像１１１に対する表示の規制の程度を決定する。そして、制御部５１は、プレビュー画像１１１の表示を禁止することを決定したサムネイル画像６９に、詳細不可アイコン１２７を関連付ける。一方、制御部５１は、プレビュー画像１１１の表示を禁止しないことを決定したサムネイル画像６９に、詳細ボタン７１を関連付ける。
【０１７０】
以上、図１５を参照して説明したように、第１変形例によれば、複数のサムネイル画像６９の各々に対応して、詳細不可アイコン１２７又は詳細ボタン７１が表示される。従って、ユーザーは、プレビュー画像１１１を表示できないサムネイル画像６９とプレビュー画像１１１を表示できるサムネイル画像６９とを容易に判別できる。なお、表示部４５は、詳細不可アイコン１２７を表示しなくてもよい。また、表示部４５は、プレビュー画像１１１を表示させないサムネイル画像６９に対して、詳細不可アイコン１２７を関連付ける代わりに、無効にした詳細ボタン７１を関連付けてもよい。
【０１７１】
なお、画像形成モードに基づいて規制の程度を決定する処理は、図１０のステップＳ６３と同様である。例えば、カラーモードが設定される読取原稿画像ＧＮに対応するサムネイル画像６９には、詳細不可アイコン１２７を関連付ける。例えば、モノクロモードが設定される読取原稿画像ＧＮに対応するサムネイル画像６９には、詳細ボタン７１を関連付ける。
【０１７２】
また、コンテナ情報に基づいて規制の程度を決定する処理は、図１３のステップＳ１１７と同様である。例えば、第２コンテナＴＣ２のトナーの使用量の計算値が第２閾値ＴＨ２以上となるような読取原稿画像ＧＮに対応するサムネイル画像６９には、詳細不可アイコン１２７を関連付ける。例えば、第２コンテナＴＣ２のトナーの使用量の計算値が第２閾値ＴＨ２未満となるような読取原稿画像ＧＮに対応するサムネイル画像６９には、詳細ボタン７１を関連付ける。
【０１７３】
さらに、トナー使用情報に基づいて規制の程度を決定する処理は、図１４のステップＳ１２３と同様である。例えば、第２コンテナＴＣ２のトナーを使用する読取原稿画像ＧＮに対応するサムネイル画像６９には、詳細不可アイコン１２７を関連付ける。例えば、第２コンテナＴＣ２のトナーを使用しない読取原稿画像ＧＮに対応するサムネイル画像６９には、詳細ボタン７１を関連付ける。
【０１７４】
（第２変形例）
図２（ａ）及び図１１を参照して、実施形態２の第２変形例に係る画像形成装置１００を説明する。第２変形例が、複数のサムネイル画像６９から選択した１つのサムネイル画像６９を表示する点で、第１変形例は実施形態２と異なる。以下、第２変形例が実施形態２と異なる点を主に説明する。
【０１７５】
図２（ａ）及び図１１に示すように、制御部５１は、シートＰに読取原稿画像ＧＮが形成される前に、複数の読取原稿画像ＧＮのうち１つの読取原稿画像ＧＮに対応するサムネイル画像６９を表示するように、表示部４５を制御する。具体的には、複数のトナーコンテナ４１に第２コンテナＴＣ２が含まれる場合、制御部５１は、画像形成モードとコンテナ情報とトナー使用情報とのうちの少なくとも１つに基づいて、複数の読取原稿画像ＧＮから１つの読取原稿画像ＧＮを選択する。従って、第２変形例によれば、複数のサムネイル画像６９から、第２コンテナＴＣ２に基づく画像品質の最も高いと推測される読取原稿画像ＧＮに対応するサムネイル画像６９を的確に選択できる。そして、制御部５１は、選択した１つの読取原稿画像ＧＮに対応するサムネイル画像６９を表示するように、表示部４５を制御する。
【０１７６】
なお、画像形成モードに基づいて選択する処理は、図１０のステップＳ６３と同様である。例えば、カラーモードが設定される読取原稿画像ＧＮに対しては、選択の際の優先順位を所定順位から下げる。例えば、モノクロモードが設定される読取原稿画像ＧＮに対しては、選択の際の優先順位を所定順位に維持するか、優先順位を所定順位から上げる。
【０１７７】
また、コンテナ情報に基づいて選択する処理は、図１３のステップＳ１１７と同様である。例えば、第２コンテナＴＣ２のトナーの使用量の計算値が第２閾値ＴＨ２以上となるような読取原稿画像ＧＮに対しては、選択の際の優先順位を所定順位から下げる。例えば、第２コンテナＴＣ２のトナーの使用量の計算値が第２閾値ＴＨ２未満となるような読取原稿画像ＧＮに対しては、選択の際の優先順位を所定順位に維持するか、優先順位を所定順位から上げる。
【０１７８】
さらに、トナー使用情報に基づいて選択する処理は、図１４のステップＳ１２３と同様である。例えば、第２コンテナＴＣ２のトナーを使用する読取原稿画像ＧＮに対しては、選択の際の優先順位を所定順位から下げる。例えば、第２コンテナＴＣ２のトナーを使用しない読取原稿画像ＧＮに対しては、選択の際の優先順位を所定順位に維持するか、優先順位を所定順位から上げる。
【０１７９】
なお、表示部４５は、第１所定領域６７の中央に、選択した１つの読取原稿画像ＧＮに対応するサムネイル画像６９を表示し、他のサムネイル画像６９を中央のサムネイル画像６９の両サイドに配置してもよい。
【０１８０】
（実施形態３）
図２（ａ）、図８、図１２、及び図１６を参照して、本発明の実施形態３に係る画像形成装置１００を説明する。実施形態３が、評価画像Ｑの濃度の第１検出値と第２検出値との差分に基づいてプレビュー規制処理を実行する点で、実施形態３は実施形態１と異なる。以下、実施形態３が実施形態１と異なる点を主に説明する。
【０１８１】
図２（ａ）及び図１６を参照して、図８のステップＳ３９のプレビュー規制処理を説明する。図１６は、プレビュー規制処理を示すフローチャートである。図１６に示すように、プレビュー規制処理は、ステップＳ１３１〜ステップＳ１３９を含む。ステップＳ１３７は、ステップＳ１５１及びステップＳ１５３を含む。ステップＳ１５１及びステップＳ１５３は、それぞれ、図１０のステップＳ８１及びステップＳ８３と同様である。
【０１８２】
図２（ａ）及び図１６に示すように、ステップＳ１３１において、制御部５１は、第１トリガーＦＴが入力されたか否かを判定する。
【０１８３】
否定判定がされた場合（ステップＳ１３１でＮｏ）、処理はステップＳ１３１で待機する。
【０１８４】
一方、肯定判定がされた場合（ステップＳ１３１でＹｅｓ）、処理はステップＳ１３５に進む。
【０１８５】
ステップＳ１３５において、制御部５１は、評価画像Ｑの濃度の第１検出値と第２検出値との差分が、第３閾値ＴＨ３以下か否かを判定する。例えば、制御部５１は、複数の評価画像Ｑａ（図２（ａ））にそれぞれ対応する複数の差分のうち、最も大きい差分が第３閾値ＴＨ３以下か否かを判定する。
【０１８６】
否定判定がされた場合（ステップＳ１３５でＮｏ）、つまり、差分が第３閾値ＴＨ３よりも大きい場合、処理はステップＳ１３７に進む。
【０１８７】
一方、肯定判定がされた場合（ステップＳ１３５でＹｅｓ）、処理はステップＳ１３９に進む。
【０１８８】
ステップＳ１３９は、ステップＳ１６１〜ステップＳ１７３を含む。ステップＳ１６１〜ステップＳ１６５は、それぞれ、図１０のステップＳ９１〜ステップＳ９５と同様である。
【０１８９】
ステップＳ１６７において、制御部５１は、評価画像Ｑの濃度の第１検出値と第２検出値との差分に応じて、第２プレビュー画面ＳＣ２Ｘ（図１２）に表示するプレビュー画像１１１の拡大率を決定する。拡大率は、サムネイル画像６９に対するプレビュー画像１１１の拡大率を示す。
【０１９０】
ステップＳ１６９において、制御部５１は、評価画像Ｑの濃度の第１検出値と第２検出値との差分に応じて、第２プレビュー画面ＳＣ２Ｘに表示するプレビュー画像１１１の濃度値を決定する。
【０１９１】
ステップＳ１７１において、制御部５１は、ステップＳ１６７で決定した拡大率及びステップＳ１６９で決定した濃度値に基づいて、読取原稿画像ＧＮからプレビュー画像１１１を作成する。
【０１９２】
ステップＳ１７３において、制御部５１は、第２プレビュー画面ＳＣ２Ｘを表示するように、表示部４５を制御する。つまり、トナーコンテナ４１が第２コンテナＴＣ２である場合、差分の大きさに応じた拡大率でプレビュー画像１１１を表示するように、及び、差分の大きさに応じた濃度値を示すプレビュー画像１１１を表示するように、制御部５１は、第２トリガーＳＴに応じて表示部４５を制御する。
【０１９３】
以上、図１６を参照して説明したように、実施形態３によれば、トナーコンテナ４１が第２コンテナＴＣ２である場合、制御部５１は、評価画像Ｑの濃度の第１検出値と第２検出値との差分の大きさに応じてプレビュー画像１１１の表示を規制する。従って、プレビュー画像１１１の表示の規制の程度を適切にすることができる。具体的には、第１検出値と第２検出値との差分が第３閾値ＴＨ３より大きい場合（ステップＳ１３５でＮｏ）、プレビュー画像１１１の表示が禁止される。差分が大きいと、第１コンテナＴＣ１に基づく画像品質と第２コンテナＴＣ２に基づく画像品質との差が大きくなる可能性があるからである。
【０１９４】
一方、第１検出値と第２検出値との差分が第３閾値ＴＨ３以下の場合（ステップＳ１３５でＹｅｓ）、差分に応じてプレビュー画像１１１の拡大率及び濃度値が決定される。差分が比較的小さいため、第１コンテナＴＣ１に基づく画像品質と第２コンテナＴＣ２に基づく画像品質との差が比較的小さい。そこで、シートＰに形成される読取原稿画像ＧＮの品質に関して誤解の生じない程度で、差分に応じてプレビュー画像１１１の拡大率及び濃度値を決定して、視認性を向上している。
【０１９５】
（変形例）
図２（ａ）及び図１７を参照して、実施形態３の変形例に係る画像形成装置１００を説明する。変形例が、複数のプレビュー画像を含む第２プレビュー画面ＳＣ２Ｙを表示する点で、変形例は実施形態３と異なる。以下、変形例が実施形態３と異なる点を主に説明する。
【０１９６】
図１７は、第２プレビュー画面ＳＣ２Ｙを示す図である。図２（ａ）及び図１７に示すように、表示部４５は、第２トリガーＳＴに応じて第２プレビュー画面ＳＣ２Ｙを表示する。第２プレビュー画面ＳＣ２Ｙの構成は、第２プレビュー画面ＳＣ２Ｘ（図１２）の構成と同様である。ただし、第２プレビュー画面ＳＣ２Ｙでは、第２所定領域７３に複数のプレビュー画像１３１が表示される。つまり、トナーコンテナ４１が第２コンテナＴＣ２である場合、複数の読取原稿画像ＧＮに対応する複数のプレビュー画像１１１を表示部４５の第２所定領域７３に表示するように、制御部５１は、第２トリガーＳＴに応じて表示部４５を制御する。また、制御部５１は、拡縮ボタン７７と移動ボタン８３とを無効にする。従って、第２プレビュー画面ＳＣ２Ｙの機能が制限される。
【０１９７】
制御部５１は、第２所定領域７３に含めるプレビュー画像１３１の個数を、評価画像Ｑの濃度の第１検出値と第２検出値との差分に応じて決定する。従って、変形例によれば、第１コンテナＴＣ１に基づく画像品質と第２コンテナＴＣ２に基づく画像品質との差に応じて、第２所定領域７３に含めるプレビュー画像１３１の個数を決定できる。具体的には、制御部５１は、差分が大きいほど、第２所定領域７３に含めるプレビュー画像１３１の個数を増加する。つまり、差分が大きいほど、第１コンテナＴＣ１に基づく画像品質と第２コンテナＴＣ２に基づく画像品質との差が大きくなるため、個数を増加して各プレビュー画像１３１を小さく表示する。その結果、画像品質の差が目立つことが抑制され、第２コンテナＴＣ２が装着されている場合に、シートＰに形成される読取原稿画像ＧＮの品質をユーザーが誤解することを抑制できる。
【０１９８】
以上、図面を参照しながら本発明の実施形態について説明した。但し、本発明は、上記の実施形態に限られるものではなく、その要旨を逸脱しない範囲で種々の態様において実施することが可能である（例えば、下記（１）、（２））。また、上記の実施形態に開示されている複数の構成要素を適宜組み合わせることによって、種々の発明の形成が可能である。例えば、実施形態に示される全構成要素から幾つかの構成要素を削除してもよい。さらに、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる場合もある。また、上記の実施形態で示す各構成要素の材質、形状、寸法等は一例であって、特に限定されるものではなく、本発明の効果から実質的に逸脱しない範囲で種々の変更が可能である。
【０１９９】
（１）実施形態１〜実施形態３において、トナーコンテナ４１は１個であってもよい。この場合は、中間転写ベルト１５を省略でき、単数の作像部１３を設けることができる。そして、像担持体としての感光体ドラム３０に評価画像Ｑが形成される。この場合、濃度センサーＳＮは、感光体ドラム３０に形成された評価画像Ｑの濃度を検出する。
【０２００】
また、表示部４５は、濃度チャート８５及び濃度グラフ９１のいずれか一方を表示してもよい。濃度チャート８５ａは１つの第１評価画像８７ａ及び１つの第２評価画像８９ａを有していてもよい。濃度チャート８５ｂ〜８５ｄについても同様である。
【０２０１】
さらに、実施形態３において、図１６のステップＳ１６７及びステップＳ１６９のうちの一方を実行してもよい。つまり、トナーコンテナ４１が第２コンテナＴＣ２である場合、差分の大きさに応じた拡大率でプレビュー画像１１１を表示するように、又は、差分の大きさに応じた濃度値を示すプレビュー画像１１１を表示するように、制御部５１は、第２トリガーＳＴに応じて表示部４５を制御してもよい。
【０２０２】
（２）実施形態３において、次のような変形が可能である。すなわち、画像形成装置１００は、読取原稿画像ＧＮをシートに形成する。制御部５１は、シートＰに読取原稿画像ＧＮが形成される前に、読取原稿画像ＧＮのサムネイル画像６９を表示するように、表示部４５を制御する。記憶部５３は、読取原稿画像ＧＮの濃度を評価するための評価画像Ｑを記憶する。濃度センサーＳＮは、中間転写ベルト１５に形成された評価画像Ｑの濃度を検出する。制御部５１は、評価画像Ｑの濃度の第１検出値と第２検出値との差分の大きさに応じて読取原稿画像ＧＮのプレビュー画像１１１の表示を規制する。プレビュー画像１１１は、サムネイル画像６９に代えて、第２トリガーＳＴに応じて表示される。読取原稿画像ＧＮに対するプレビュー画像１１１の縮小率は、読取原稿画像ＧＮに対するサムネイル画像６９の縮小率よりも小さい。つまり、プレビュー画像１１１はサムネイル画像６９よりも大きい。第１検出値と第２検出値とは、異なる時期に中間転写ベルト１５に形成された評価画像Ｑの検出値を示す。
【０２０３】
本変形例によれば、例えば、品質保証期間よりも長い期間にわたって保管されていた第１コンテナＴＣ１が画像形成装置１００に装着された場合に、シートＰに形成される読取原稿画像ＧＮの品質（例えば、色味）に関して誤解の生じる情報がユーザーに提示されることを抑制できる。特に、本変形例は、品質保証期間よりも長い期間にわたって保管されていた第１コンテナＴＣ１に基づく画像品質が、品質保証期間内の第１コンテナＴＣ１に基づく画像品質と異なる場合に、有効である。
【産業上の利用可能性】
【０２０４】
本発明は、画像形成装置に関するものであり、産業上の利用可能性を有する。
【符号の説明】
【０２０５】
４５    表示部
５１    制御部
５３    記憶部
１００    画像形成装置
ＳＮ    濃度センサー（濃度検出部）
【図１】
2019086567.tif 000003
【図２】
2019086567.tif 000004
【図３】
2019086567.tif 000005
【図４】
2019086567.tif 000006
【図５】
2019086567.tif 000007
【図６】
2019086567.tif 000008
【図７】
2019086567.tif 000009
【図８】
2019086567.tif 000010
【図９】
2019086567.tif 000011
【図１０】
2019086567.tif 000012
【図１１】
2019086567.tif 000013
【図１２】
2019086567.tif 000014
【図１３】
2019086567.tif 000015
【図１４】
2019086567.tif 000016
【図１５】
2019086567.tif 000017
【図１６】
2019086567.tif 000018
【図１７】
2019086567.tif 000019